(57)【特許請求の範囲】
【請求項１】
無線基地局を経由しコンピュータネットワークまたは電話網を介してパケット交換による通信を行うための無線通信手段と、
前記コンピュータネットワークまたは電話網とは異なるローカルネットワークに接続された別の携帯型計算機と通信を行うためのローカルネットワーク通信手段と、
前記無線通信手段により前記コンピュータネットワークまたは電話網に接続された通信相手の装置から受信されたデータに対する特定の処理及び該特定の処理を自装置のリソースを用いて実行すべきか否かを決定するための、受信されるデータの種別、形式及び内容のうちの少なくとも１つを含む属性によって場合分けされた規則情報を予め記憶した記憶手段と、
前記無線通信手段により前記通信相手の装置から受信されたデータに対する特定の処理及び当該特定の処理が自装置のリソースを用いて実行すべきか否かを、該データの属性に対応する前記規則情報に基づいて決定し、自装置のリソースを用いて実行しないと決定された該データに対する該特定の処理が前記別の携帯型計算機で実行されるように、該データの一部または全部を、前記ローカルネットワーク通信手段から該別の携帯型計算機に転送するためのパケット転送処理手段とを備えたことを特徴とする無線携帯端末装置。
【請求項２】
前記パケット転送処理手段は、前記無線通信手段により前記通信相手の装置から受信されたデータに対する特定の処理及び当該特定の処理が自装置のリソースを用いて実行すべきか否かを、該データの属性に対応する前記規則情報に基づいて決定し、自装置のリソースを用いて実行しないと決定された該データに対する特定の処理が前記コンピュータネットワークに接続された別の計算機で実行されるように、該データの一部または全部を、前記無線通信手段から該別の計算機に転送する機能を更に含むことを特徴とする請求項１に記載の無線携帯端末装置。
【請求項３】
前記別の携帯型計算機は、自装置の近隣のものであり、
前記ローカルネットワーク通信手段は、無線または赤外線を用いて、前記別の携帯型計算機と接続されていることを特徴とする請求項１または２に記載の無線携帯端末装置。
【請求項４】
前記無線通信手段により前記通信相手の装置から受信された前記データは、マルチメディアデータを含み、
前記パケット転送処理手段は、前記マルチメディアデータの属性に対応する前記規則情報から、当該マルチメディアデータが自装置に付属する出力装置から出力すべきデータである場合には、これを少なくとも自装置に付属する出力装置から出力し、当該マルチメディアデータが、自装置から出力するのではなく、前記別の携帯型計算機または前記別の計算機で出力すべきデータである場合には、これを前記別の携帯型計算機または前記別の計算機に転送すると決定することを特徴とする請求項２に記載の無線携帯端末装置。
【請求項５】
前記パケット転送処理手段は、前記無線通信手段により前記通信相手の装置から受信されたデータの属性に対応する前記規則情報から、該データが、自装置にて出力および保存せずに、前記別の携帯型計算機または前記別の計算機に転送すべきデータである場合には、該データを、自装置にて出力および保存せずに、前記別の携帯型計算機または前記別の計算機に転送すると決定することを特徴とする請求項２に記載の無線携帯端末装置。
【請求項６】
前記パケット転送処理手段は、前記無線通信手段により前記通信相手の装置から受信されたデータに含まれるデータの属性に対応する規則情報から、該受信されたデータに含まれるデータが、利用可能な自装置の記憶媒体の容量を超えるデータ容量を持つデータである場合には、該データを、自装置にて保存せずに、前記別の携帯型計算機または前記別の計算機に転送すると決定することを特徴とする請求項２に記載の無線携帯端末装置。
【請求項７】
前記パケット転送処理手段は、前記無線通信手段により前記通信相手の装置から受信されたデータに含まれるデータの属性に対応する規則情報から、該受信されたデータに含まれるデータが、自装置で保存せずかつ前記別の携帯型計算機または前記別の計算機に転送せずに、自装置に付属する出力装置から出力すべきデータである場合には、該データを、自装置で保存せずかつ前記別の携帯型計算機または前記別の計算機へ転送せずに、自装置に付属する出力装置から出力すると決定することを特徴とする請求項２に記載の無線携帯端末装置。
【請求項８】
前記パケット転送処理手段は、前記受信されたデータの属性に対応する規則情報から、該受信されたデータが、音声データ及びこれに付随する画像データを含み、該画像データの少なくとも一部が所定のタグ情報でタグ付けされたものである場合には、該音声データ及び該画像データを、前記所定のタグ情報に従って同期させて自装置に付属する出力装置から出力することを特徴とする請求項１または２に記載の無線携帯端末装置。
【請求項９】
複数の計算機に割り当てられた優先度を予め登録しておくための第２の記憶手段をさらに備え、
前記パケット転送処理手段は、前記第２の記憶手段に登録された前記優先度に従って、前記複数の計算機のうちのいずれかを、前記別の携帯型計算機または前記別の計算機として選択することを特徴とする請求項２に記載の無線携帯端末装置。
【請求項１０】
前記パケット転送処理手段は、前記複数の計算機について定期的に通信可能性を検査し、前記複数の計算機のうち現在通信可能であるものを、前記別の携帯型計算機または前記別の計算機として選択することを特徴とする請求項１または２に記載の無線携帯端末装置。
【請求項１１】
前記パケット転送処理手段は、前記通信相手の装置からのデータを前記別の計算機を経由して受信し、
前記データは、該データの属性を自装置が識別または推定可能に該別の計算機によって変換されたものであることを特徴とする請求項２に記載の無線携帯端末装置。
【請求項１２】
前記無線通信手段は、前記無線基地局を経由して自装置を前記電話網へ接続する機能と、前記無線基地局およびルータ装置を経由して自装置を前記コンピュータネットワークへ接続する機能との少なくとも一方を有することを特徴とする請求項１または２に記載の無線携帯端末装置。
【請求項１３】
前記パケット転送処理手段は、前記通信相手の装置から受信されたデータを、自装置で出力するか、自装置で保持するか、前記別の携帯型計算機に転送するか、または前記別の計算機に転送するかを、該データに付与された該データの種別を示すデータ属性タグを参照して決定することを特徴とする請求項２に記載の無線携帯端末装置。
【請求項１４】
前記通信相手の装置と前記コンピュータネットワークに接続された所定の別の計算機とが電話網により市内通話のフラットレートを利用して通信が可能な場合には、該通信相手の装置に送信すべきデータが前記別の計算機から該通信相手の装置へ送信されるように、該データを該別の計算機に転送する転送手段を更に備えたことを特徴とする請求項１記載の無線携帯端末装置。
【請求項１５】
前記転送手段は、前記通信相手の装置と前記別の計算機とが電話網により市内通話のフラットレートを利用して通信が可能な場合において、前記通信相手の装置に送信すべきデータのデータ量が予め定められた値以上のときに、該データに、該データを前記通信相手の装置に送信するように前記別の計算機に要求する情報を付加し、該情報を付加された該データパケットを前記所定の別の計算機に転送することを特徴とする請求項１４に記載の無線携帯端末装置。
【請求項１６】
前記転送手段は、前記通信相手の装置と前記別の計算機とが電話網により市内通話のフラットレートを利用して通信が可能な場合において、前記通信相手の装置と自装置との通信に要するコストが、前記通信相手の装置と前記所定の別の計算機との通信に要するコストよりも高いときに、該別の計算機に該通信相手の装置との通信を自装置に代わって行うように要求することを決定することを特徴とする請求項１４に記載の無線携帯端末装置。
【請求項１７】
データパケットを転送するネットワークから受信した音声データを、電話網から無線基地局を経由してまたは該ネットワークからルータ装置および無線基地局を経由して、該音声データの宛先となる無線携帯端末装置に転送するための転送手段と、
前記無線携帯端末装置に転送すべき音声データに付随した音声以外のデータを前記無線携帯端末装置には転送せずに別の計算機に転送すべきか否かを決定するための、当該音声以外のデータの種別、形式及び内容のうちの少なくとも１つを含む属性によって場合分けされた規則情報を記憶した記憶手段と、
前記無線携帯端末装置に転送すべき音声データに付随して音声以外のデータが存在し、該音声以外のデータの属性に対応する前記規則情報から、該音声以外のデータが該無線携帯端末装置には転送せず、別の計算機に転送すべきデータである場合には、前記転送手段を制御して、該音声以外のデータを、該無線携帯端末装置には転送せず、別の計算機に転送させるための制御手段とを備えたことを特徴とするゲートウェイ装置。
【請求項１８】
前記別の計算機は、前記ネットワークに接続された計算機、または前記無線携帯端末装置と該ネットワークとは異なるローカルネットワークにより接続された携帯型計算機であって、前記携帯無線端末装置から指定されたものであることを特徴とする請求項１７に記載のゲートウェイ装置。
【請求項１９】
前記規則情報は、前記携帯端末装置から指定されたものであることを特徴とする請求項１７に記載のゲートウェイ装置。
【請求項２０】
無線携帯端末装置における通信処理制御方法であって、
コンピュータネットワークまたは電話網に接続された通信相手の装置から受信されたデータに対する特定の処理及び該特定の処理を自装置のリソースを用いて実行すべきか否かを決定するための、受信されるデータの種別、形式及び内容のうちの少なくとも１つを含む属性によって場合分けされた規則情報を記憶手段に記憶し、
前記通信相手の装置に無線基地局を経由して接続し、該通信相手の装置からデータを受信し、
前記コンピュータネットワークまたは電話網とは異なるローカルネットワークに接続された別の携帯型計算機に接続し、
前記通信相手の装置から受信されたデータに対する特定の処理及び当該特定の処理が自装置のリソースを用いて実行すべきか否かを、該データの属性に対応する前記規則情報に基づいて決定し、自装置のリソースを用いて実行しないと決定された該データに対する該特定の処理が前記別の携帯型計算機で実行されるように、該データの一部または全部を、前記ローカルネットワーク通信手段から該別の携帯型計算機に転送することを特徴とする通信処理制御方法。
【請求項２１】
前記通信相手の装置と前記コンピュータネットワークに接続された所定の別の計算機とが電話網により市内通話のフラットレートを利用して通信が可能な場合には、該通信相手の装置に送信すべきデータが前記別の計算機から該通信相手の装置へ送信されるように、該データを該別の計算機に転送することを特徴とする請求項２０記載の通信処理制御方法。
【請求項２２】
ゲートウェイ装置における通信処理制御方法であって、
データパケットを転送するネットワークから受信した音声データを、電話網から無線基地局を経由してまたは該ネットワークからルータ装置および無線基地局を経由して、該音声データの宛先となる無線携帯端末装置に転送し、
前記無線携帯端末装置に転送すべき音声データに付随した音声以外のデータを前記無線携帯端末装置には転送せずに別の計算機に転送すべきか否かを決定するための、当該音声以外のデータの種別、形式及び内容のうちの少なくとも１つを含む属性によって場合分けされた規則情報を記憶した記憶手段と、
前記無線携帯端末装置に転送すべき音声データに付随して音声以外のデータが存在し、該音声以外のデータの属性に対応する前記規則情報から、該音声以外のデータが該無線携帯端末装置には転送せず、別の計算機に転送すべきデータである場合には、該音声以外のデータを、前記無線携帯端末装置には転送せず、別の計算機に転送させることを特徴とする通信処理制御方法。
【発明の詳細な説明】
【０００１】
【発明の属する技術分野】
本発明は、無線電話網を介して音声やデータ通信を行うための無線携帯端末装置、ゲートウェイ装置及び通信処理制御方法に係わり、特に、無線電話網を経由してインターネットに接続し、これを通して音声、データ通信をＩＰパケット形式で行う無線携帯端末装置、ゲートウェイ装置及び通信処理制御方法に関する。
【０００２】
【従来の技術】
携帯電話（セルラー電話）やＰＨＳ（Ｐｅｒｓｏｎａｌ  Ｈａｎｄｙｐｈｏｎｅ  Ｓｙｓｔｅｍ）端末の普及により、無線通信システムを利用した、通信サービスが広く行われるようになってきた。これらの携帯電話（セルラー電話）やＰＨＳ端末は、無線基地局との間で無線による通信を行い、その基地局から有線通信網に多数接続されて、通信サービスを行っている。
【０００３】
一方、世界的なコンピュータネットワーク「インターネット（Ｉｎｔｅｒｎｅｔ）」の利用が普及したことにより、様々なインターネット上の情報サービスが展開されている。特に、従来の電話網に比較して通信コストが極めて低い利点を利用して、電話の音声データをＩＰパケット化し、インターネットを介して通信するインターネット電話（ＩＰ電話）が注目を集めている。典型的には、図１９のように音声電話網とインターネット網との間を中継するＩＰ電話ゲートウェイを例えば電話局内に設置し、これらゲートウェイ間をインターネット経由で通信することで、長距離通話であっても、最寄りの電話局（またはＩＰ電話ゲートウェイの設置箇所）までの料金のみで実行することが可能になる。
【０００４】
このようなインターネット電話は、末端がセルラ電話やＰＨＳ端末であるような無線携帯端末の場合にも適用できる。例えば、図２０に示すように、複数の無線基地局を管理するルータ装置を設け、このルータ装置がＩＰ電話ゲートウェイとして働いて、インターネット網とのデータ交換を行うようなインターネット無線電話通信システムが実現できる。
【０００５】
もちろん、インターネット上では、標準プロトコルに従って、様々な形式のマルチメディアデータを転送することが可能である。例えば、音声、静止画像、動画像、特定のアプリケーションのデータファイルなどをＩＰパケット化し、単一のＴＣＰ／ＩＰプロトコルで転送できる。従って、図２０において、ルータ装置〜無線基地局〜無線携帯端末間で、ＴＣＰ／ＩＰパケットを伝送するプロトコルを設定することで、インターネット電話を使用しつつ同時にこれらのインターネット上で転送されたマルチメディアデータを交換することが可能になる。具体的には、音声通話を行いながら、関連する画像データ（例えば資料や地図のデータ）を転送したり、ニュースクリップを音声で受信しながら関連の写真を画像で受けとる、といったアプリケーションを実現することができる。
【０００６】
しかし、無線携帯端末により上記のようなインターネット電話を含むマルチメディア通信を行う場合、一般に小型の無線携帯端末においては、様々なリソース上の制約があると考えられる。
【０００７】
例えば、画像データを受信したとしても、それを十分な解像度で表示できる表示デバイスがない場合がある。また、画面サイズが小さいという制約もある。
【０００８】
また、例えば、一般にマルチメディアデータはデータ量が膨大になるので、最悪の場合は、送信されるマルチメディアデータ全体を保持できない場合さえ、起こりうる。
【０００９】
また、インターネット網や電話網を使用する環境を見ると、一般に無線携帯端末は、例えば通常の固定ＰＣに比較して利用環境が悪い場合が多い。例えば、家庭の固定ＰＣ発であれば、市内電話がフラット料金で契約されているとか、通常のＰＣではインターネットのアプリケーションがより使いやすい（例えば、明らかにＷｅｂのアドレス情報を多く保持できる、など）という場合が起こりうる。
【００１０】
【発明が解決しようとする課題】
以上に述べたように、無線携帯端末を使ってインターネット電話とマルチメディアデータを扱うインターネットサービスを行う場合、一般に小型の無線携帯電話を端末として使用する場合、画像データを十分な解像度で表示できる表示デバイスがないとか、大量のマルチメディアデータを保持できるメモリ、ディスクなどの記憶デバイスを搭載できない、といったリソース上の制約があった。
【００１１】
また、無線携帯端末では、家庭に設置された固定ＰＣや携帯されるノートＰＣに比べて、アプリケーションの操作性が悪かったり、通信媒体の利用料金が高いなど劣悪な環境になってしまうことがある。
【００１２】
本発明は、上記事情を考慮してなされたもので、携帯端末装置のリソース不足や劣った環境等を補完するような運用が可能な、無線携帯端末装置、ゲートウェイ装置及び通信処理制御方法を提供することを目的とする。
【００１３】
【課題を解決するための手段】
本発明に係る通信方法は、コンピュータネットワークもしくは電話網に接続された通信相手の装置との間で、無線基地局を介して、データパケットを送受信する機能を有する無線携帯端末装置が、パケット通信の性質に応じて、該パケット通信を別の計算機と連携して遂行するか否かを決定することを特徴とする。
【００１４】
例えば、本携帯端末装置を用いて通話を行っているときに、音声のデータの付加情報として受信した画像データ等を表示するためには、本携帯端末装置に付属する表示装置では解像度や画面サイズの点で問題がある場合に、該画像データを、より能力の高い表示装置を持つ別の計算機に転送することで、直ちに表示し、あるいは保存しておいて後に表示することができる。
【００１５】
また、例えば、本携帯端末装置がｆｔｐファイルを受信した場合に、該ファイルを保存するためには、本携帯端末装置に付属するメモリでは容量の点で問題がある場合に、該ファイルを、より容量の大きいメモリを持つ別の計算機に転送することで、代わりに保存させることができる。
【００１６】
また、例えば、本携帯端末装置からあるＷｅｂページへアクセスする際に、本携帯端末装置から直接アクセスするよりも、別の計算機からアクセスし、その結果を本携帯端末装置に転送した方が低コストである場合には、本携帯端末装置から別の計算機に、該Ｗｅｂページを取得して転送するように依頼することによって、安価に情報を得ることができる。
【００１７】
その他、非常に多くの連携の形態が考えられる。
【００１８】
なお、別の計算機と連携するか否かの決定は、例えば、連携する条件とそのときの連携処理を予め登録しておき、当該通信が該条件に該当する場合に、連携することを決定する。また、連携すると決定された場合には、該当する条件について定められている連携処理を実行する。
【００１９】
また、別の計算機として、複数のものを用意しておいて、パケット通信の性質に応じて、別の計算機を選択するようにしてもよい。
【００２０】
例えば、上記の画像データの場合には、ユーザが携帯端末装置と同時に携帯しているノート型ＰＣに転送して即座に表示させることができ、上記のｆｔｐファイルの例の場合には、インターネットを介して家庭のデスクトップＰＣに転送して保存しておき、帰宅してから閲覧等することができ、上記のＷｅｂページの例の場合には、最も安価となる計算機を選択することができる。
【００２１】
また、本発明によれば、例えば無線電話網経由でインターネットに接続して、音声データやその他のマルチメディアデータをＴＣＰ／ＩＰパケット通信により交換し、かつ他のインターネット接続もしくはローカルに無線や赤外線などの通信手段で接続されるパーソナルコンピュータと連携し、送受信したデータの一時格納や、転送、その他の処理が可能となる。
【００２２】
本発明によれば、携帯端末装置が別の計算機と連携することにより、携帯端末装置の持つ、計算機としての能力、操作環境あるいは通信コストなどの面で劣る点を補完するような運用が可能となり、携帯端末装置の持つ機動性・簡便性・実用性などの利点を最大限に享受することができる。
【００２３】
本発明に係る無線携帯端末装置は、無線基地局を経由しコンピュータネットワークまたは電話網を介してデータパケット交換による通信を行うための無線通信手段と、前記コンピュータネットワークまたは電話網とは異なるローカルネットワークに接続された別の携帯型計算機と通信を行うためのローカルネットワーク通信手段と、前記無線通信手段により前記コンピュータネットワークまたは電話網に接続された通信相手の装置から受信されたデータパケットの特定の処理が、自装置のリソースを用いて実行されるべきか否かを、該データパケットの属性または該データパケットに含まれるデータの属性に基づいて決定し、自装置のリソースを用いて実行しないと決定された該データパケットの該特定の処理が前記別の前記帯型計算機で実行されるように、該データパケットに含まれるデータの一部または全部を、前記ローカルネットワーク通信手段から該別の携帯型計算機に転送するためのパケット転送処理手段とを備えたことを特徴とする。
好ましくは、前記パケット転送処理手段は、前記無線通信手段により前記コンピュータネットワークまたは電話網に接続された通信相手の装置から受信されたデータパケットの特定の処理が、自装置のリソースを用いて実行されるべきか否かを、該データパケットの属性または該データパケットに含まれるデータの属性に基づいて決定し、自装置のリソースを用いて実行しないと決定された該データパケットの該特定の処理が前記コンピュータネットワークに接続された別の計算機で実行されるように、該データパケットに含まれるデータの一部または全部を、前記無線通信手段から該別の計算機に転送する機能を更に含むようにしてもよい。
【００２４】
本発明に係る無線携帯端末装置は、無線基地局を経由しコンピュータネットワークまたは電話網に接続された通信相手の装置とのデータパケット交換による通信を行うための無線通信手段と、前記通信相手の装置との通信に関して所定の条件が成立するか否かを判断し、該通信相手の装置との通信に関して所定の条件が成立すると判断された場合には、該通信相手の装置に送信すべきデータを含むデータパケットが前記コンピュータネットワークに接続された所定の別の計算機から該通信相手の装置へ送信されるように、該データを該別の計算機に転送するためのパケット転送処理手段とを備えたことを特徴とする。
好ましくは、前記所定の別の計算機は、前記電話網にも接続されており、前記無線携帯端末装置は、前記コンピュータネットワークまたは電話網とは異なるローカルネットワークに接続された別の携帯型計算機と通信を行うためのローカルネットワーク通信手段を更に備え、前記無線携帯端末装置または前記別の携帯型計算機は、前記所定の別の計算機を介して、前記通信相手の装置と音声通信を行い、前記無線携帯端末装置または前記別の携帯型計算機は、前記コンピュータネットワークを経由した前記無線携帯端末装置と前記所定の別の計算機との間の第１の音声チャネルを設定し、該所定の別の計算機に、該所定の別の計算機と前記通信相手の装置との間の第２の音声チャネルを設定させ、前記第１の音声チャネルから受信した音声データを前記第２の音声チャネルへ転送させ、前記第２の音声チャネルから受信した音声データを前記第１の音声チャネルへ転送させ、前記無線携帯端末装置は、受信された音声データを、該音声データに付与された該音声データに含まれるデータの種別を示すデータ属性タグに従って、該音声データの最終転送先へ転送するようにしてもよい。
好ましくは、前記所定の別の計算機は、前記電話網にも接続されており、前記無線携帯端末装置は、前記コンピュータネットワークまたは電話網とは異なるローカルネットワークに接続された別の携帯型計算機と通信を行うためのローカルネットワーク通信手段を更に備え、前記無線携帯端末装置または前記別の携帯型計算機は、前記所定の別の計算機を介して、前記通信相手の装置と音声通信を行い、該通信相手から該所定の別の計算機への着呼が発生し、前記無線携帯端末装置または前記別の携帯型計算機は、前記別の計算機に、前記着呼に応答して、前記音声通信網を経由した前記所定の別の計算機と前記通信相手の装置との間の第１の音声チャネルへのデータ入出力を可能とさせ、前記コンピュータネットワークを経由した前記所定の別の計算機と前記無線携帯端末装置との間の第２の音声チャネルを設定し、音声データを示すデータ属性タグを含む着呼メッセージを作成し、該着呼メッセージを該第２の音声チャネルを介して該無線携帯端末に転送し、該第２の音声チャネルから受信した音声データを該第１の音声チャネルへ転送し、前記着呼メッセージを受け取ると、前記無線携帯端末装置は、該着呼メッセージに含まれるデータ属性タグの値に応じて、自装置が該着呼メッセージに応答するか、または前記ローカルネットワークを経由して該着呼メッセージを前記別の携帯型計算機に転送し、前記着呼メッセージを該別の携帯型計算機に転送した場合はさらに自装置と該ローカルネットワークを経由した自装置と該別の携帯型計算機との間の第３の音声チャネルを設定し、該第３の音声チャネルが設定されたならば、前記第２の音声チャネルから受信した音声データを該第３の音声チャネルへと転送するとともに、該第２の音声チャネルから受信した音声データを該第３の音声チャネルへと転送するようにしてもよい。
【００２５】
本発明に係るゲートウェイ装置は、データパケットを転送するネットワークから受信した音声データを、電話網から無線基地局を経由してまたは該ネットワークからルータ装置および無線基地局を経由して、該音声データの宛先となる無線携帯端末装置に転送するための転送手段と、前記無線携帯端末装置に転送すべき音声データに付随して転送すべき音声以外のデータが存在する場合に、該音声以外のデータが指定された条件を満足するか否か判断し、該指定された条件を満足すると判断されたときに、前記転送手段を制御して、該音声以外のデータを、該無線携帯端末装置には転送せず、別の計算機に転送させるための制御手段とを備えたことを特徴とする。
【００２６】
本発明は、無線携帯端末装置における通信処理制御方法であって、コンピュータネットワークまたは電話網に接続された通信相手の装置に無線基地局を経由して接続し、該通信相手の装置からデータパケットを受信し、前記コンピュータネットワークまたは電話網とは異なるローカルネットワークに接続された別の携帯型計算機に接続し、前記コンピュータネットワークまたは電話網に接続された通信相手の装置から受信されたデータパケットの特定の処理が、自装置のリソースを用いて実行されるべきか否かを、該データパケットの属性または該データパケットに含まれるデータの属性に基づいて決定し、前記データパケットの前記特定の処理が、自装置のリソースを用いて実行すべきでないと決定された場合には、該データパケットの該特定の処理が前記別の前記帯型計算機で実行されるように、該データパケットに含まれるデータの一部または全部を、該別の携帯型計算機に転送することを特徴とする。
【００２７】
本発明は、無線携帯端末装置における通信処理制御方法であって、コンピュータネットワークまたは電話網に接続された通信相手の装置に無線基地局を経由して接続し、該通信相手の装置からデータパケットを受信し、前記通信相手の装置との通信に関して所定の条件が成立するか否かを判断し、前記通信相手の装置との通信に関して所定の条件が成立すると判断された場合には、該通信相手の装置に送信すべきデータを含むデータパケットが前記コンピュータネットワークに接続された所定の別の計算機から該通信相手の装置へ送信されるように、該データを該別の計算機に転送することを特徴とする。
【００２８】
本発明は、ゲートウェイ装置における通信処理制御方法であって、データパケットを転送するネットワークから受信した音声データを、電話網から無線基地局を経由してまたは該ネットワークからルータ装置および無線基地局を経由して、該音声データの宛先となる無線携帯端末装置に転送し、前記無線携帯端末装置に転送すべき音声データに付随して転送すべき音声以外のデータが存在する場合に、該音声以外のデータが指定された条件を満足するか否か判断し、前記指定された条件を満足すると判断された場合に、前記音声以外のデータを、前記無線携帯端末装置には転送せず、別の計算機に転送させることを特徴とする。
【００４９】
なお、装置に係る本発明は方法に係る発明としても成立し、方法に係る本発明は装置に係る発明としても成立する。
【００５０】
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムを記録したコンピュータ読取り可能な記録媒体としても成立する。
【００５１】
【発明の実施の形態】
以下、図面を参照しながら発明の実施の形態を説明する。
【００５２】
最初に、図１８を参照しながら、本実施形態の基本的な構成について説明する。
【００５３】
図１８は、本実施形態で想定するネットワーク構成の一例と、本実施形態に係る無線携帯端末の利用形態を示すものである。なお、図１８において、無線携帯端末１が図示しない通信相手と何らかの通信を行う場合を考える。
【００５４】
無線携帯端末１は、単独で通信その他の処理を行う機能を有するが、本実施形態では、これに加えて、家庭やオフィスなどに設置された固定の計算機７（本実施形態では家庭のデスクトップＰＣとする）および／または本無線携帯端末１を持つユーザが同時に携帯している移動可能の計算機８（本実施形態ではノート型ＰＣとする）と連携して通信その他の処理を行う機能をも有する。デスクトップＰＣ７とは例えばＩＰネットワークで通信可能であり、携帯中のノート型ＰＣ８とは例えば無線ＬＡＮや赤外線（ＩｒＤＡ）といった媒体を使ったローカル通信が可能である（ＩＰ通信によることも可能である）。
【００５５】
この無線携帯端末１は、無線電話網を経由してインターネット通信を行う機能を持つが、音声データやその他のマルチメディアデータをＴＣＰ／ＩＰパケット通信により交換する際に連携する計算機を予め登録しておくとともに、受信したデータあるいは送信するデータの属性（例えば、データ量、処理可能性、保存可能性等）に応じて、例えば、
（１）音声データや画像データを直ちに自装置に附属する音声出力装置やディスプレイから出力する（保存しない）、
（２）受信データを自装置が内蔵するローカルな記憶装置にファイル形式で格納する、
（３）受信データあるいは通信相手に送信すべきデータを、登録された計算機に転送し、そこで、別途格納させ、あるいは他の処理を行わせる、
（４）音声データを自装置に附属する音声出力装置から出力するとともに、画像データは登録された計算機に転送して格納させる、
などたいったように、表示、保存、転送（通信）などに関係する処理内容をデータ属性に応じて切替える制御を行う。
【００５６】
これによって、計算機としての能力、操作環境あるいは通信コストなどの面で劣ることのある無線携帯端末の持つ機動性・簡便性・実用性などの利点を最大限に引き出すことができる。
【００５７】
以下、より詳しく本発明の実施形態について説明する。
【００５８】
図１に、本発明の一実施形態に係るネットワークの基本構成例を示す。
【００５９】
無線ネットワークは、一般に無線通信事業者などにより運用され、無線基地局２（図１の２ａ〜２ｍ）により携帯型無線端末（図１の１ａ〜１ｎ）を収容し、携帯型無線端末１同士の通話をサービスし、また携帯型無線端末１と電話網３に収容される電話機との通話をサービスするとともに、ルータ装置５が設置され、このルータ装置５によって無線携帯端末１から送信される音声データやその他のマルチメディアデータを含むパケットのＩＰネットワーク（例えばインターネット）４への転送や、ＩＰネットワーク（例えばインターネット）４から無線携帯端末１へのパケット転送をサービスする。
【００６０】
一方、電話網３は、一般に無線通信事業者などにより運用され、図示しない電話機を収容し、電話機同士の通話や、電話機と携帯型無線端末１との通話をサービスするとともに、インターネット電話ゲートウェイ６が設置され、このインターネット電話ゲートウェイ６によって、音声電話データをＩＰネットワーク経由で転送することにより、インターネット電話サービスを提供する。
【００６１】
インターネット電話ゲートウェイ６は、インターネット電話を使用する際に音声電話データをＩＰパケットに変換してインターネットに転送するための装置で、本例では電話局内に設置されるものとしている。ユーザはインターネット電話を使用する場合、このインターネット電話ゲートウェイ６に割り当てられたアクセス番号をダイアルして接続を行い、必要な宛先データをそのインターネット電話ゲートウェイ６に渡す。インターネット電話ゲートウェイ６は、通信相手の近隣のインターネット電話ゲートウェイ６のＩＰアドレスを検索し、ＩＰネットワーク上での接続を行う。通信相手のインターネット電話ゲートウェイ６は、相手の電話に発呼を行って、エンド間の接続を確立する。図１では、このサービスを利用することによって、電話網３内の電話機同士の通話、無線携帯端末１同士の通話、電話機と無線携帯端末１との通話がいずれも可能である。
【００６２】
このようなインターネット電話ゲートウェイ６を利用した接続確立では、無線携帯端末１ａ〜１ｎが通常の無線電話として動作し、近隣のインターネット電話ゲートウェイ６に発呼することを仮定している。この場合、無線携帯端末〜インターネット電話ゲートウェイ間は電話網３経由の接続で、インターネット電話ゲートウェイ６上でアナログ音声をデジタル化しＩＰパケットに収容してＩＰネットワークに転送するという処理を行う。
【００６３】
音声電話データをＩＰパケット化した形式としては、例えばＲＴＰ（ＲｅａｌＴｉｍｅ  Ｐｒｏｔｏｃｏｌ）とＵＤＰ（Ｕｓｅｒ  Ｄａｔａｇｒａｍ  Ｐｒｏｔｏｃｏｌ）を組み合わせたもの、などが考えられる。この場合のパケット形式の一例を図２に示す。
【００６４】
なお、本実施形態では、無線携帯端末１は、インターネット電話ゲートウェイ６経由でなく、無線基地局２の上流に設置されたルータ装置５経由でＩＰネットワークにアクセスすることも想定している。従って、無線携帯端末１側で十分な計算リソースが確保できるのであれば、インターネット電話ゲートウェイ６での処理を無線携帯端末１側で行ってデジタル化された音声パケットをルータ装置５経由で送信するようにしてもよい。ただし、この機能は、相手先ゲートウェイのＩＰアドレスの検索方法や、電話音声データのコーディング形式などは事業者から公開されている場合に使用することができる。
【００６５】
すなわち、本実施形態においては、無線携帯端末１に対してＩＰ音声データを送信する場合に、
（１）無線携帯端末１の近隣のインターネット電話ゲートウェイ６を介して電話網３経由で着呼する。
【００６６】
（２）無線携帯端末１の近隣のインターネット電話ゲートウェイ６を介さず、そのままＩＰパケットで転送し、ルータ装置５を経由して無線携帯端末１に転送し、無線携帯端末１でＩＰパケットから音声データを取り出してアナログ化し出力する。
という２つの方法を任意に選択できるものとする（無線携帯端末１が送信側となる場合も、同様に、近隣のインターネット電話ゲートウェイ６を使う場合と、自装置内でＩＰパケットとして送出する場合とが選択可能となる）。
【００６７】
ところで、前述したように、本システムには無線携帯端末１ａ〜１ｎと協調動作させる他のＰＣ、すなわち図１ではデスクトップＰＣ７とノートＰＣ８が存在する。デスクトップＰＣ７は無線携帯端末ユーザの自宅に設置されたＰＣで、やはりインターネット４に接続される。一方、ノートＰＣ８はユーザが無線携帯端末１と同時に携帯するＰＣであり、無線携帯端末１はノートＰＣ８とインターネット４経由または無線もしくは赤外線（ＩｒＤＡなど）を使ったローカル網で通信できるものとする。なお、ノートＰＣ８に対するインターネット４経由通信の場合の動作は基本的にはデスクトップＰＣ７の場合と同じであるので、以下では、ノートＰＣ７については無線もしくは赤外線（ＩｒＤＡなど）を使ったローカル網で通信する場合について説明する。
【００６８】
次に、本実施形態に係る無線携帯端末の構成について説明する。
【００６９】
図３に、本実施形態の無線携帯端末の内部構成例を示す。
【００７０】
この無線携帯端末は、無線通信部６１、ローカル網通信部６２、音声形式処理部６３、ＴＣＰ／ＩＰ処理部６４、Ａ／Ｄ−Ｄ／Ａ変換部６５、音声入出力処理部６６、パケット転送処理部６７、ディスプレイ６８、その他、図示しない入出力装置、メモリなどを備えている。また、通常の無線電話や計算機の持つ機能を必要に応じて備えている。
【００７１】
無線通信部６１は、通常の無線電話と同様、いずれかの（例えば電波強度で選択された）無線基地局２ａ〜２ｍを介し無線電話網と通信するための入出力ユニットである。一方、ローカル網通信部６２は、無線もしくは赤外線（ＩｒＤＡなど）を使って、この無線携帯端末１のユーザが同時に携帯しているノートＰＣ８と通信するためのインタフェースである。これらの通信モジュールは、後述する関連ＰＣ制御情報を用いて、ＩＰデータの転送処理を司る。
【００７２】
音声形式処理部６３は、音声電話データの処理を行う。無線電話網から受けた音声電話データはここで処理されて音声入出力処理部６６に送られる。
【００７３】
一方、ＩＰネットッワーク４から直接受信した音声パケットデータは、ＴＣＰ／ＩＰ処理部６４から受信後、Ａ／Ｄ−Ｄ／Ａ変換部６５でアナログデータに変換されて、音声入出力処理部６６に送られる。また、音声以外のデータ、例えば画像データなどは、ＩＰネットッワーク４から受信されると、ＴＣＰ／ＩＰ処理部６４で適当な専用アプリケーションで処理されて、必要に応じてディスプレイ６８に出力される。
【００７４】
ディスプレイ６８は、無線携帯端末１に附属するものであり、出力サイズ、解像度などが、他のデスクトップＰＣやノートＰＣに比べ、著しく劣っているものとする。
【００７５】
パケット転送処理部６７は、予め指定された関連ＰＣ制御情報に基づいて、特定の属性の送受信データを、登録されたデスクトップＰＣ７もしくはノートＰＣ８に転送する。
【００７６】
図４に、関連ＰＣの情報を格納した関連ＰＣ情報テーブル６７１の構成例を示す。
【００７７】
このテーブルは、転送先となるＰＣの論理名、通信経路（Ｉｎｔｅｒｎｅｔ／Ｌｏｃａｌ−ｎｅｔ）、およびＩＰアドレス（インターネットの場合）を登録したものである。
【００７８】
本例では、無線携帯端末ユーザが自宅に設置したデスクトップＰＣ８（ホスト名：ＤＥＳＫ１、ネットワーク：インターネット経由、アドレス：ＩＰアドレス＝１３３．１９６．１６．２０１）と、同時に携帯しているノートＰＣ８（ホスト名：ＮＯＴＥ２、ネットワーク：ローカル接続、メディア：ＩｒＤＡ）の２台が登録されている。
【００７９】
なお、図４の関連ＰＣ情報テーブルにＰｒｅｆｅｒｅｎｃｅフィールドを付加して、複数登録した関連ＰＣを優先度付けしてパケットを転送するようにしてもよい。図５の関連ＰＣ情報テーブルは、ＮＯＴＥ２を優先して転送することを指定した例である。
【００８０】
また、不安定な動作環境で移動端末装置が稼働する場合、定期的に各関連ＰＣに対し検査メッセージを送信し、各ＰＣに通信可能か否かをモニタし、一時的に通信不能な関連ＰＣにはパケットを転送しない、といった運用ポリシーを用いるようにしてもよい。図６に例示した関連ＰＣ情報テーブルは、図５の優先度付けにさらに各ＰＣの通信可能情報を組み合わせたものである。図６の具体例の場合、例えば、２台のＰＣがいずれも通信可能であればＮＯＴＥ２を優先するが、ＮＯＴＥ２が電池切れであるとか、鞄の中に入ったためＩｒＤＡで通信できない、といった場合には、ＮＯＴＥ２が通信不能であることを自動的に検出し、代替としてＤＥＳＫ１に転送する。
【００８１】
この場合、通信可能性の検出モジュールは、例えばＴＣＰ／ＩＰの上位アプリケーションとしてｐｉｎｇプログラムを使うなどすることにより容易に実現でき、検出した通信可能性ステータスを関連ＰＣ情報テーブル６７１に書き込むように構成すればよい。
【００８２】
なお、上記では、予めＰＣに優先度ＰＣを付与したが、その他にも各ＰＣの持つ種々の特性および／またはデータの属性を総合的に加味してＰＣを選択するようにしてもよい。
【００８３】
また、複数のＰＣが登録されている場合に、複数のＰＣが選択されることを許すようにしてもよい。あるいは、条件に依っては積極的に複数のＰＣを選択するようにしてもよい。複数のＰＣを選択する場合には、例えば、同一データをブロードキャストもしくはマルチキャストするようにしてもよいし、選択した各ＰＣで役割分担をさせるようにしてもよい。
【００８４】
次に、図７に、上記の登録された関連ＰＣ（本例では、デスクトップＰＣ７もしくはノートＰＣ８）にどのようなデータを転送するかを指定するための転送データ属性テーブル６７２の構成例を示す。
【００８５】
データ属性については、様々な観点からの制御が可能であるが、図７では、一例として、以下の属性によってデータ転送の有無を指定するものとしている。
【００８６】
（ルール１）添付ファイルが１００ＫＢ以上の音声通話セッションについては、その添付データを関連ＰＣに転送する。
【００８７】
（ルール２）ｆｔｐで１００ＫＢ以上のサイズのものは、これを関連ＰＣに転送する。
【００８８】
（ルール３）特定アプリケーションのもの（ここでは、Ｉｎｔｅｒｎｅｔ−ＣＭと、Ｉｎｔｅｒｎｅｔ−ｎｅｗｓ−ｃｌｉｐ）については、これを自装置において強制的に出力する。
【００８９】
（ルール４）ホームに設置されたＰＣ（本例の場合、デスクトップＰＣ７）から市内通話できる電話データについては、これをそのＰＣに転送して、そこから発呼させる。
【００９０】
なお、どのルールにも該当しないものや該当するルールおいて規定されていないものについては、そのデータに応じたデフォルトの処理内容が実行されるものとする。例えば、添付ファイルが１００ＫＢ未満の音声通話セッションについては、無線携帯端末において音声が出力されるとともに、添付データも無線携帯端末において表示／保存される。また、添付ファイルが１００ＫＢ以上の音声通話セッションでは、音声は無線携帯端末において出力される。
【００９１】
このルールとしては、種々のものが考えられ、無線携帯端末のリソース、性能、環境等の状況や、ユーザの使用目的等を考慮して、適宜設定することが可能である。また、ユーザがルールの一部または全部を選択可能としてもよい。これらの点は、デフォルトの処理内容についても同様である。
【００９２】
以下では、個々の指定されたデータ属性について、転送処理がどのように行われるかについて、種々の具体例をもとに説明していく。
【００９３】
最初に、関連ＰＣには転送しないことになる（無線携帯端末１内では特別の処理が行われる）制御のいくつかの例について説明する。本例は、先に示したルール３に関連するものである。
【００９４】
図８は、ある種の画像／文字データについては、これを無線携帯端末１内に保存せず、関連ＰＣにも転送せず、無線携帯端末１で表示だけさせる例である。
【００９５】
図７の３番目のルールの具体例においてＡＰＰＬ＝Ｉｎｔｅｒｎｅｔ−ＣＭと指定されたデータパケットは、インターネット電話の音声パケットに添付して送信されるコマーシャルデータ（画像、文字データ）である。このルールは、コマーシャルデータを、これを無線携帯端末１でバッファしてもメモリを浪費するだけであると考えるユーザのために、そのままディスプレイから強制的にリアルタイム出力し、データ自体は廃棄するように制御する。
【００９６】
図８において、音声データを載せたデータパケットは、無線通信部６１、パケット転送処理部６７、ＴＣＰ／ＩＰ処理部６４、Ａ／Ｄ−Ｄ／Ａ変換部６５、音声入出力処理部６６の順に処理され、音声出力される。
【００９７】
一方、添付データである画像データは、無線通信部６１、パケット転送処理部６７、ＴＣＰ／ＩＰ処理部６４と渡り、ＴＣＰ／ＩＰ処理部６４では、例えば、上位プロトコル識別子を調べ、もし当該データがＡＰＰＬ＝Ｉｎｔｅｒｎｅｔ−ＣＭルールに合致するようであれば、全ての添付コマーシャルデータをディスプレイ６８に表示させる。
【００９８】
なお、この場合、音声データパケットのアナログ化処理は、無線携帯端末１側とインターネット電話ゲートウェイ６側のいずれで行うようにしても構わない（図８は無線携帯端末１側で行う例である）。
【００９９】
次に、図９は、音声と画像／文字データを同期して表示する例である。
【０１００】
図７の４番目のルールの具体例においてＡＰＰＬ＝Ｉｎｔｅｒｎｅｔ−ｎｅｗｓ−ｃｌｉｐと指定されたデータパケットは、インターネット電話を媒体に転送されるニュースクリップデータである。
【０１０１】
このサービスは、音声パケットに添付して転送される画像、文字データを音声と同期しながら出力することで、例えば、ニュース原稿に関連する写真画像や資料を表示できるというものである。具体的には、例えば、ニュースクリップのデータ形式内に、音声パケットと添付データの同期タグデータが付加されており、この同期タグデータに従って、音声と画像を同期しながら出力する仕組みになる。
【０１０２】
なお、この場合も、音声データパケットのアナログ化処理は、無線携帯端末１側とインターネット電話ゲートウェイ６側のいずれでも行うことが可能であるが、図９では、無線携帯端末１側で行う場合について説明する。
【０１０３】
図９において、音声データを載せたデータパケットは、無線通信部６１、パケット転送処理部６７、ＴＣＰ／ＩＰ処理部６４、Ａ／Ｄ−Ｄ／Ａ変換部６５、音声入出力処理部６６の順に処理され、音声出力され、一方、添付データである画像データは、無線通信部６１、パケット転送処理部６７、ＴＣＰ／ＩＰ処理部６４の順に処理され、ディスプレイ６８に表示させる。
【０１０４】
ここで、一般に音声データに比べて、添付される画像データの方がサイズが膨大であるので、転送に遅れが発生する。そこで、ＴＣＰ／ＩＰ処理部６４が上位プロトコル識別子を調べた結果、ＡＰＰＬ＝Ｉｎｔｅｒｎｅｔ−ｎｅｗｓ−ｃｌｉｐルールに合致するようであれば、音声出力を一旦停止し、必要な同期表示画像データが全て無線移動端末１に到着し、所定時間の間、表示されるまで、到着した音声データパケットを変換して（例えばＡ／Ｄ−Ｄ／Ａ変換部６５で）バッファリングすればよい。
【０１０５】
図９では、音声データパケットのアナログ化処理を無線携帯端末１側で行う例について説明したが、図１０のように、音声データパケットのアナログ化処理をインターネット電話ゲートウェイ６側で行うとすると、
・音声パケットはインターネット電話ゲートウェイ６（のＴＣＰ／ＩＰ処理部１６４、Ａ／Ｄ−Ｄ／Ａ変換部１６５、音声形式処理部１６３）で、
・同期データは無線携帯端末１（のＴＣＰ／ＩＰ処理部６４）で、
それぞれ処理することになる。
【０１０６】
この場合、音声データパケットのバッファリングをインターネット電話ゲートウェイ６で行い、無線携帯端末１から所定の同期データタグのついた同期データの処理が完了した旨を通知するメッセージを受けとった時点で、音声出力を行えばよい。
【０１０７】
次に、受信したデータの一部または全部を関連ＰＣに転送する制御のいくつかの例について説明する。本例は、先に示したルール１，２に関連するものである。
【０１０８】
図１１は、ある条件に該当するデータを、無線携帯端末１では表示も保存もせずに、関連ＰＣに転送する例である。
【０１０９】
この２つのルール、
（ルール１）添付ファイルが１００ＫＢ以上の音声通話セッションについては、その添付データを関連ＰＣに転送する。
【０１１０】
（ルール２）ｆｔｐで１００ＫＢ以上のサイズのものは、これを関連ＰＣに転送する。
は、転送されるデータ量に関する制御である。
【０１１１】
この制御は、一般に無線携帯端末１側の記憶容量は限られていることから、一定値を越える添付データを含むセッション（インターネット音声通話、電子メール、ｆｔｐ自体）について、添付データ分は登録された関連ＰＣに転送するようにしたものである。
【０１１２】
例えば、図１１に示すように、音声通話に地図の画像データが添付されている場合に、音声は無線携帯端末１で出力するが、ディスプレイ６８では地図を理解するための十分な解像度が得られないので、画像データについては、これを無線携帯端末１側では表示も保存もせずに、例えばノートＰＣ８にローカルネットで転送する。
【０１１３】
なお、転送した画像データは後にそのＰＣもしくは他の計算機に移して表示させてもよいし、例えば画像データをノートＰＣ８に転送した場合には、通話中に該画像データをノートＰＣ６８に表示させることも可能である。
【０１１４】
次に、図１１で説明した例は、受信データを他の計算機に転送するかどうかを決める基準として予め定めたデータサイズを用いたが、図１２のように、無線携帯端末１側で現在実際に利用可能な記憶容量を考慮して、転送するかどうか決定するようにしてもよい。
【０１１５】
例えば、利用可能メモリ量データｘ（図中、６４１）を保持し、転送されてきたｆｔｐデータパケットのデータサイズがｘ以下であれば、あるいはｘにある係数ｋ（０＜ｋ＜１）を乗じた値以下であれば、自装置内のメモリに保持し、そうでなければ例えばノートＰＣ８にローカルネットで転送する、といった制御を行うことができる。
【０１１６】
また、図１０、図１１で説明した例では、自装置が一旦受け取ったデータをノートＰＣ８に転送するものであったが、図１３のように、デスクトップＰＣ７にインターネット経由で転送することも可能である。
【０１１７】
さらに、この場合、無線携帯端末１が一旦受け取ったデータをデスクトップＰＣ７に転送するという手順を踏むのではなく、転送データ属性テーブル６７２に指定されたセッションが開始する時点で、送信元に転送先データを通知するようにすれば、無線携帯端末１側でのデータバッファリングを回避し、あたかもインターネット上でバックグラウンドジョブとしてデスクトップＰＣ７へのデータ転送が行われているようにシステムを使用することもできる。
【０１１８】
ところで、音声データとその添付データがインターネット電話ゲートウェイ６に転送され、そこで音声がアナログ化される通信形態の場合は、図１４に示すように、転送データ属性テーブル６７２のコピーをインターネット電話ゲートウェイ６に渡し、マッチするデータ列を受信したら、ただちにデスクトップＰＣ７にパケットを転送するように制御することも可能である。
【０１１９】
この場合についても、関連ＰＣ情報テーブル６７１と転送データ属性テーブル６７２の双方を局側のインターネット電話ゲートウェイ６に登録しておき、属性テーブルにマッチするデータを受信したら、アナログ化変換を行わず、ＩＰパケットのままデスクトップＰＣ７に転送するように制御する。
【０１２０】
例えば、移動中は全てのニュースクリップデータ（インターネット電話経由で配送される）を、ＩＰ形式のまま、デスクトップＰＣ７側に転送して保管しておく、といった場合に適用できる。
【０１２１】
次に、コスト的な面を考慮した制御の例について説明する。
【０１２２】
図１６のように、バッチ的な送信処理については、例えば転送先がネットワーク的にデスクトップＰＣ７に近かったり、無線携帯端末１を使用すると接続料金が高いなどの理由で、無線携帯端末１から直に送信するより、一度インターネット４経由でデスクトップＰＣ７にデータを転送し、そこから最終宛先に再送信する方が料金の面で有利な場合がある。
【０１２３】
この場合の転送ルールは、例えば、
ＩＦ  Ｓｅｎｔ−ｐａｃｋｅｔ−ｓｉｚｅ＞＝５０ＭＢ，ｆｏｒｗａｒｄｔｏ  ＤＥＳＫ１，ｔｈｅｎ  ｓｅｎｄ  ｔｏ  ｄｅｓｔ．
である。このルールでは、全ての５０ＭＢ以上のデータ転送は、無線携帯端末１からは行わず、デスクトップＰＣ７に一旦送信して、そこから改めて送信するようにしている。
【０１２４】
また、ルール４のような制御も可能である。
【０１２５】
すなわち、図１７のように、市外局番（例えば０４４とする）にインターネット電話で発呼して、情報サービスを受ける場合、もしデスクトップＰＣ７からであれば、市内通話のフラットレートが使用可能で、かつ情報の取得が緊急性のないものであれば、例えば０４４市内宛の発呼を無線携帯端末１からは行わず、必要なダイアリングデータのみをデスクトップＰＣ７にインターネット４経由で転送してデスクトップＰＣ７側で情報サービスのデータを受信する。そして、デスクトップＰＣ７が受信したそのデータを改めてインターネット４〜ルータ装置５〜無線基地局２を経由して無線携帯端末１側で受信し、これをＤ／Ａ変換、フォーマットすることで所望の音声電話サービスを安価に受けることができる。
【０１２６】
さて、以下では、転送データ属性テーブル６７２の参照の際に使うデータ属性に関連して説明を行う。
【０１２７】
本実施形態の無線携帯端末１における、転送データ属性テーブル６７２に記載された情報（ルータ）に基づいて、受信した情報の処理を変化させる制御、例えば、添付データの添付された音声セッションにおいて添付データをＩｒＤＡなどで接続されたノート８に転送しつつ音声情報を自装置にて再生する、といった制御を実現するためには、インターネット４経由で受け取るパケット毎に、該パケットが含んでいる情報の種別を識別するためのデータ属性タグが付与されていることが前提になる。これには種々の手法が考えられ、例えば、ＨＴＭＬやＸＭＬといった良く知られたマークアップ言語を使用することとしてもよい。
【０１２８】
ただし、全てのインターネット４上の情報に、このようなマークアップ言語によって統一的にデータ属性タグが付与されているとは限らない。例えば、Ｗｅｂサイトによっては、無線携帯端末１のリソース上の制限などから使用できないマークアップ言語が使用されている可能性がある。さらに、図１７に示した構成のように、音声セッションをインターネット４および（市内）電話網３を経由して設定する場合には、（市内）電話網３をアナログ信号にて通過してくる音声電話データにデータ属性タグが付与されているとは限らない。
【０１２９】
そこで、データ属性タグが付与されていない情報や、無線携帯端末１が解釈できない種別のデータ属性タグが付与されている情報までも無線携帯端末１によって処理可能とするように、無線携帯端末１とインターネット４を経由して通信を行うデスクトップＰＣ７を以下のように機能させてもよい。
【０１３０】
すなわち、図１７に示した構成において、デスクトップＰＣ７は、無線携帯端末１から指示された電話番号に対して発呼を行い、所望のアナログ音声の情報を得たならば、該アナログ音声をＡ／Ｄ変換し、パケットに変換する。このとき、デスクトップＰＣ７は、同時に、該情報に音声データを示すデータ属性タグを付与する。該データ属性タグが付与されたパケットは、インターネット４、ルータ装置５、無線基地局２を経由して無線携帯端末１に転送される。無線携帯端末１では、該パケットに付与されたデータ属性タグの値を用いて、転送データ属性テーブル６７２を参照し、該メッセージを自装置にてユーザに提示するか、またはノートＰＣ８に転送するかを決定する。この方式は、特に情報サービスといった蓄積された音声データに対してのみ適用可能というわけではなく、リアルタイムの音声、すなわち通常の電話サービスを無線携帯端末１経由でノートＰＣ８で利用する場合にも利用可能である。
【０１３１】
また、デスクトップＰＣ７からインターネット４にアクセスするための料金が無線携帯端末１からインターネット４にアクセスするための料金より安い場合、図１７に示した構成にて、以下の機能をユーザに提供すれば、ユーザに料金上のメリットを提供することが可能である。
【０１３２】
すなわち、ユーザが出先において急遽必要になったＷｅｂページ群の情報を、利用料金の高いユーザに変わってデスクトップＰＣ７が収集する、という機能である。ユーザは、デスクトップＰＣ７に、ノートＰＣ８もしくは無線携帯端末１を用いてインターネット４を経由して必要となったＷｅｂページ群を指示する。デスクトップＰＣ７は、与えられた指示に従って順次Ｗｅｂページにアクセスし、これらの情報をまとめてインターネット４を経由して無線携帯端末１もしくはノートＰＣ８に送り返す。このとき、指定されたＷｅｂページが、無線携帯端末１のサポートしていないデータ属性タグを使用されているものであったならば、デスクトップＰＣ７は、無線携帯端末１がサポートしているデータ属性タグへと変換することとしてもよい。
【０１３３】
次に、本実施形態では、付与されたデータ属性タグに基づいて受信したパケットの最終送出先（関連ＰＣに転送するか否か）を決定することとしているが、以下の方法によれば、データ属性タグが付属していないパケット流までも最終送出先を決定することができる。この方法は、例えば、無線携帯端末１が接続されているインターネット４では流量課金が採用されており、かつ、デスクトップＰＣ７が接続されている電話網３ではフラットレートが採用されている場合に、ユーザが負担しなければならない通信料金を軽減することができる。
【０１３４】
図１７に示した構成において、無線携帯端末１もしくはノートＰＣ８より音声通信を行う場合、予め定められた条件、例えば料金体系が上述のようなものであったならば、デスクトップＰＣ７の接続された電話網３を経由して通信を行うものとする。このとき、無線携帯端末１もしくはノートＰＣ８は、無線基地局２、ルータ装置５、インターネット４を経由してデスクトップＰＣ７に向けて、まず、音声通信チャネル、例えばＲＴＰによる音声セッション、を設定する。次に、無線携帯端末１もしくはノートＰＣ８は、例えば無線基地局２、ルータ装置５、インターネット４を経由してデスクトップＰＣ７に対して、音声通信を行う通信相手へと電話網３上で音声コネクションを設定する。その後、デスクトップＰＣ７は、無線携帯端末１もしくはノートＰＣ８との間の音声通信チャネルから流れてくる情報を電話網３上の音声コネクションへと、また、電話網３上の音声コネクションから流れてくる情報を無線携帯端末１もしくはノートＰＣ８との間の音声通信チャネルへと、それぞれ中継する。このとき、無線携帯端末１においては、受信した各々のパケットのポート番号を参照すれば、デスクトップＰＣ７との間に設定された音声通信チャネルから受信したパケットであることが識別でき、さらに、該パケットでは音声情報が転送されていると推定することができる。無線携帯端末１は、この推定に基づいて該音声チャネルから受信したパケットを、転送データ属性テーブル６７２の中で音声情報の最終送出先（関連ＰＣに転送するか否か）を規定しているルールの内容に従って処理する。
【０１３５】
次に、本実施形態において、以下の方法によれば、無線携帯端末１のユーザが、デスクトップＰＣ７を経由した音声通信の着呼を受け付けることができる。これにより、無線通信網の料金がデスクトップＰＣ７が接続された音声網の料金よりも高い場合、無線携帯端末１のユーザに向けて通信を行う通信相手からの着呼を受け付ける場合に、該通信相手が支払わなければならない利用料金を軽減することができる。
【０１３６】
図１７に示した構成において、デスクトップＰＣ７に接続された電話網３より着呼があったならば、デスクトップＰＣ７は該着呼に応答し、電話網３経由の音声コネクションによる通信を行うための自装置のセットアップを行う。さらに、デスクトップＰＣ７は、インターネット４、ルータ装置５、無線基地局２を経由して無線携帯端末１に至る第１の音声チャネル、例えばＲＴＰによる音声セッション、を設定する。
【０１３７】
音声チャネルの設定を受けたならば、無線携帯端末１は、転送データ属性テーブル６７２を参照し、音声情報の最終転送先（関連ＰＣに転送するか否か）が無線携帯端末１であるか、ノートＰＣ８であるか、を知る。もしノートＰＣ８であったならば、無線携帯端末１は、ノートＰＣ８との間にさらに第２の音声チャネルを設定する。
【０１３８】
その後、デスクトップＰＣ７は上記の音声コネクションと第１の音声チャネルとの間の情報転送を、無線携帯端末１はもし第２の音声チャネルを設定したならば第１の音声チャネルと第２の音声チャネルとの間の情報転送を、それぞれ行う。このとき、無線携帯端末１にあっては、受信したパケットのポート番号を参照することによって、第１の音声チャネルに属するパケットであるか否かを知ることができ、第１の音声チャネルに属するパケットは全て音声情報を転送していると推定することで、転送データ属性テーブル６７２によって指定された方法によって音声情報の処理を行うことが可能になる。すなわち、この場合には、第１の音声チャネル上のパケットに対するデータ属性タグの付与は不要で、インターネットが流量課金を行っている場合に、さらに、無線携帯端末１のユーザが支払わなければならない利用料金を軽減することが可能になる。
【０１３９】
さて、従来、無線携帯端末を使ってインターネット電話とマルチメディアデータを扱うインターネットサービス等を利用する場合、無線携帯電話を端末として使用する際に、画像データの表示解像度やデータを保持する記憶デバイスなど、搭載できるリソース上の制約があった。この点、家庭等に設置されたデスクトップＰＣや携帯されるノートＰＣなどは、リソースがより充実している、アプリケーションの操作性がより良好である、通信コストがより低い、などの利点がある。
【０１４０】
そこで、本実施形態では、無線携帯端末に家庭等に設置されたデスクトップＰＣや携帯されるノートＰＣを連携させ、またデータ属性に応じてその連携のさせ方を制御したり、あるいはデータ属性に応じて無線携帯端末内での処理を制御したりするようにしている。
【０１４１】
これによって、例えば、受信した画像データが高解像度の表示デバイスが必要であったり、当座の移動中に内容を見る必要がない場合には、無線携帯端末側のメモリに格納したり、無線携帯端末側で表示せず、そのままデスクトップＰＣにインターネット経由で転送したり、同時に携帯しているノートＰＣに無線／赤外線のローカル網経由で転送するように制御できる。
【０１４２】
また、例えば、携帯しているノートＰＣ内に格納された、ＵＲＬデータを随時、無線携帯端末にアップロードして独自Ｗｅｂブラウザのアドレスレジスタにキャッシュして操作するなど、無線携帯端末のユーザインタフェースをよりユーザフレンドリに行うこともできる。
【０１４３】
また、例えば、もしＩＰ電話の通話相手がデスクトップＰＣの所在地からであれば市内通話できる場合、一旦、インターネット経由で家庭等に設置されたデスクトップＰＣにデータを転送してから、発呼を行うという制御を行うことにより通信料金を削減するように制御できる。
【０１４４】
なお、これまでの説明では、添付データが添付された音声データについては、無線携帯端末１で音声出力し、添付データを関連ＰＣに転送する例を示したが、例えば、音声データが非常に多きいサイズのデータ（例えば長い時間にわたる数曲の音楽）で、添付データが少量の文字データ（例えば曲名等のリスト）であるような場合に、添付データを無線携帯端末１に表示し、音声データ（または音声データおよび添付データ）を関連ＰＣに転送するようにしてもよい。
【０１４５】
また、無線携帯端末１に、インターネット電話ゲートウェイを利用する機能と、自装置内で処理する機能のいずれか一方のみを搭載するようにしてもよい。
【０１４６】
また、無線携帯端末１は、家庭等に設置されたデスクトップＰＣなどの計算機と、無線携帯端末１を持つユーザが同時に携帯しているノートＰＣなどの移動可能の計算機のいずれか一方のみを利用可能としてもよい。
【０１４７】
また、無線携帯端末１は、いわゆる携帯電話型の外形を持つものに限定されるものではなく、どのような外形のものであってもよい。また、無線携帯端末１とデスクトップＰＣやノートＰＣとの連携を考えた場合、無線携帯端末１とデスクトップＰＣやノートＰＣとの相違は相対的なものであり、例えば無線機能を持つノートＰＣもあるときは無線携帯端末１として機能し得るものである。
【０１４８】
なお、以上の各機能は、ソフトウェアとしても実現可能である。
【０１４９】
また、本実施形態は、コンピュータに所定の手段を実行させるための（あるいはコンピュータを所定の手段として機能させるための、あるいはコンピュータに所定の機能を実現させるための）プログラムを記録したコンピュータ読取り可能な記録媒体としても実施することもできる。
【０１５０】
本発明は、上述した実施の形態に限定されるものではなく、その技術的範囲において種々変形して実施することができる。
【０１５１】
【発明の効果】
本発明によれば、携帯端末装置が別の計算機と連携することにより、携帯端末装置の持つ、計算機としての能力、操作環境あるいは通信コストなどの面で劣る点を補完するような運用が可能となり、携帯端末装置の持つ機動性・簡便性・実用性などの利点を最大限に享受することができる。
【図面の簡単な説明】
【図１】本発明の第１の実施形態に係るネットワークの基本構成例を示す図
【図２】ＲＴＰとＵＤＰを組み合わせたＩＰ音声データパケットの形式を示す図
【図３】無線携帯端末の内部構成例を示す図
【図４】無線携帯端末内の関連ＰＣ情報を格納したテーブルの構成例を示す図
【図５】無線携帯端末内の関連ＰＣ情報を格納したテーブルの他の構成例を示す図
【図６】無線携帯端末内の関連ＰＣ情報を格納したテーブルのさらに他の構成例を示す図
【図７】無線携帯端末内のデータ属性テーブルの構成例を示す図
【図８】無線携帯端末における添付データパケットに対する動作シーケンスの一例を説明するための図
【図９】無線携帯端末における同期データパケットに対する動作シーケンスの一例を説明するための図
【図１０】無線携帯端末における同期データパケットに対する動作シーケンスの他の例を説明するための図
【図１１】無線携帯端末における添付データパケットに対する動作シーケンスの他の例を説明するための図
【図１２】無線携帯端末における添付データパケットに対する動作シーケンスのさらに他の例を説明するための図
【図１３】無線携帯端末における添付データパケットに対する動作シーケンスのさらに他の例を説明するための図
【図１４】インターネット電話ゲートウェイ装置における添付データパケットに対する動作シーケンスの一例を説明するための図
【図１５】インターネット電話ゲートウェイ装置における添付データパケットに対する動作シーケンスの他の例を説明するための図
【図１６】無線携帯端末における送信データパケットに対する動作シーケンスの一例を説明するための図
【図１７】無線携帯端末における送信データパケットに対する動作シーケンスの他の例を説明するための図
【図１８】無線携帯端末と別の計算機との協調動作を説明するための図
【図１９】従来のインターネット電話網を説明するための図
【図２０】従来のインターネット無線電話網を説明するための図
【符号の説明】
１，１ａ〜１ｎ…無線携帯端末
２，２ａ〜２ｍ…無線基地局
３…電話網
４…ＩＰネットワーク
５…ルータ装置
６…インターネット電話ゲートウェイ６
７…デスクトップＰＣ
８…ノートＰＣ
６１…無線通信部
６２…ローカル網通信部
６３…音声形式処理部
６４…ＴＣＰ／ＩＰ処理部
６５…Ａ／Ｄ−Ｄ／Ａ変換部
６６…音声入出力処理部
６７…パケット転送処理部
６８…ディスプレイ
１６３…音声形式処理部
１６４…ＴＣＰ／ＩＰ処理部
１６５…Ａ／Ｄ−Ｄ／Ａ変換部
６７１…関連ＰＣ情報テーブル
６７２…転送データ属性テーブル
【図１】
0003617930.tif 000002
【図２】
0003617930.tif 000003
【図３】
0003617930.tif 000004
【図４】
0003617930.tif 000005
【図５】
0003617930.tif 000006
【図６】
0003617930.tif 000007
【図７】
0003617930.tif 000008
【図８】
0003617930.tif 000009
【図９】
0003617930.tif 000010
【図１０】
0003617930.tif 000011
【図１１】
0003617930.tif 000012
【図１２】
0003617930.tif 000013
【図１３】
0003617930.tif 000014
【図１４】
0003617930.tif 000015
【図１５】
0003617930.tif 000016
【図１６】
0003617930.tif 000017
【図１７】
0003617930.tif 000018
【図１８】
0003617930.tif 000019
【図１９】
0003617930.tif 000020
【図２０】
0003617930.tif 000021